(57)【特許請求の範囲】
【請求項１】
電子的データを記録した記録媒体により権利者の権限を確認する権限証明方法において、
前記記録媒体に搭載された複数のＩＣチップの内で権限者を識別する為の第１の識別情報が記録されたＩＣチップを識別する情報である前記記録媒体に記録された第２の識別情報を読み取り、前記読み取った第２の識別情報で示される位置に位置決めし前記第１の識別情報を読み取る第１のステップと、
前記読み取った第１の識別情報と正当な権限者を示す情報とを照合して当該記録媒体の所持者の権限を確認する第２のステップとを有することを特徴とする権限証明方法。
【請求項２】
前記第２のステップの後に、入力装置を通じて得た前記記録媒体の所持者に固有な情報とデータベース内に登録された正当な権限者に固有な情報である第３の識別情報とを照合する第３のステップを有し、
前記第１の識別情報と前記第２の識別情報と前記第３の識別情報とを組み合わせて当該記録媒体の所持者の権限を確認することを特徴とする請求項１に記載された権限証明方法。
【請求項３】
電子的データを記録した記録媒体により権利者の権限を確認する媒体読取機において、
前記記録媒体に搭載された複数のＩＣチップの内で権限者を識別する為の第１の識別情報が記録されたＩＣチップを識別する情報である前記記録媒体に記録された第２の識別情報を読み取り、前記読み取った第２の識別情報で示される位置に位置決めし前記第１の識別情報を読み取る識別情報読取処理部と、
前記読み取った第１の識別情報と正当な権限者を示す情報とを照合して当該記録媒体の所持者の権限を確認する権限確認処理部とを備えることを特徴とする媒体読取機。
【請求項４】
電子的データを記録した記録媒体により権利者の権限を確認する媒体読取機としてコンピュータを機能させる為のプログラムを記録したコンピュータ読み取り可能な記録媒体において、
前記記録媒体に搭載された複数のＩＣチップの内で権限者を識別する為の第１の識別情報が記録されたＩＣチップを識別する情報である前記記録媒体に記録された第２の識別情報を読み取り、前記読み取った第２の識別情報で示される位置に位置決めし前記第１の識別情報を読み取る識別情報読取処理部と、
前記読み取った第１の識別情報と正当な権限者を示す情報とを照合して当該記録媒体の所持者の権限を確認する権限確認処理部としてコンピュータを機能させる為のプログラムを記録したことを特徴とする記録媒体。
【発明の詳細な説明】
【０００１】
【発明の属する技術分野】
本発明は各種電子的データを記録した記録媒体により権利者の権限を確認する権限証明システムに関し、特に本人認証用カード、会員証、キャッシュカード、自動引落しカード、クレジットカード、電子マネーやポイントカード等の、カード情報、各種アプリケーションの属性や価値情報等を記録している、バーコードを印刷したカードや磁気ストライプカード、ＩＣカードについて、その偽造を防止し、紛失や盗難等で遺失した場合にその遺失カードの不正利用を防ぐ権限証明システムに適用して有効な技術に関するものである。
【０００２】
【従来の技術】
従来の権限証明システムにおいては、プラスチックカードの上に磁気ストライプやＩＣチップを搭載し、その中に権限者を判別する為の固有番号をそのまま登録している。そして、判別が必要となった場面で、その固有番号を電子的に読取り、別のデータベースに保存されている権限者の一覧表と照合することで、或いはパスワード等を入力させてその番号と照合することで権限の有無を確認している。
更にカード所有者が、各種サービスを受ける為のカードを紛失や盗難等で遺失した場合には、遺失カードによる各種サービスの不正利用を防止する為、カードの発行会社に遺失届を提出する。その場合にカード会社は遺失カードに対するサービスを停止する為、無効カード一覧情報（いわゆる「ブラックリスト」）を作成し、サービス提供先に配布して遺失カードに対するサービスを停止させている。
なお、カードの不正発行や不正利用を防止し、しかも販売店等において即時に発行できるクレジットカードシステムを提供するクレジットカードシステムについては特開平１０−２６１０１５号公報に記載されている。
【０００３】
【発明が解決しようとする課題】
従来の手法は、磁気ストライプやＩＣチップ内に搭載されている情報の第三者による読取りや書き込みがほとんど不可能である、という前提の元に成り立っていた。しかし近年では、特に磁気ストライプについて、権限なくその情報を読み取って別の媒体の上に複写する偽造事件が登場してきている。
【０００４】
また、正当な所持者に固有な情報（記憶しているパスワード、指紋や網膜等、個人に固有な生体情報等）を予め保存しておき、権限を確認する際にその媒体の所持者にその固有な情報を入力させて、その入力させた情報とデータベースに蓄積してある情報とを照合する形で確認するシステムもあるが、パスワードによるセキュリティ確保には安全性と利便性の点で相反関係にあり（短過ぎれば安全性は低くなり、長過ぎれば利便性が下がる）、指紋や網膜等の生体情報を用いることは、プライバシー保護や利用者の感情の観点から困難になる場合も多い。
【０００５】
更に、無効カード一覧情報（いわゆる「ブラックリスト」）についても、報告を受けてからサービス提供先への連絡までに時間がかかる上に、仮にサービス提供先への連絡があったとしても、店頭における遺失カードのサービス停止について、１００％の確実性は保証できない。
【０００６】
本発明の目的は上記問題を解決し、正当な所持者の利便性の低下を最小限にしつつ、第三者によるカードの偽造や遺失カードによるサービスの不正利用を防ぐことが可能な技術を提供することにある。
【０００７】
【課題を解決するための手段】
本発明は、電子的データを記録した記録媒体により権利者の権限を確認する権限証明システムにおいて、第２の識別情報で識別される第１の識別情報により権限を確認するものである。
【０００８】
本発明では、電子的データを記録した記録媒体を発行する際に、権限者を識別する為の第１の識別情報について、この第１の識別情報の記録位置等を識別する為の第２の識別情報を生成し、前記生成した第２の識別情報に基づいて第１の識別情報を書き込み、第２の識別情報も当該記録媒体の所定の位置に書き込んでおく。
【０００９】
権限者を識別する為の第１の識別情報が記録された記録媒体により権利者の権限を確認する際には、第１の識別情報を識別する為の第２の識別情報を読み取り、前記読み取った第２の識別情報に基づいて第１の識別情報を読み取る。そして前記読み取った第１の識別情報と正当な権限者を示す情報とを照合して当該記録媒体の所持者の権限を確認する。
【００１０】
例えば、電子的データを記録した記録媒体として、複数のＩＣチップを搭載したＩＣカードを用い、権限者を識別する為の第１の識別情報を記録したＩＣチップを識別する為の第２の識別情報を生成して、前記生成した第２の識別情報で示されるＩＣチップに第１の識別情報を書き込み、第２の識別情報を当該ＩＣカードの所定のＩＣチップに書き込んでおく。
【００１１】
前記ＩＣカードにより権利者の権限を確認する際には、第１の識別情報を識別する為の第２の識別情報を読み取り、前記読み取った第２の識別情報で識別されるＩＣチップから第１の識別情報を読み取る。そして前記読み取った第１の識別情報と正当な権限者を示す情報とを照合して当該記録媒体の所持者の権限を確認する。
【００１２】
この様に第２の識別情報で識別される第１の識別情報により権限を確認する手順とした結果、不正な読取りや書き込みを企てる第三者は、記録媒体の表面全体を作業の対象とせざるをえなくなり、結果的に偽造が著しく困難となる。その一方で、権限のある所持者や媒体読取機への負担は殆ど増加しない。
【００１３】
以上の様に本発明の権限証明システムによれば、第２の識別情報で識別される第１の識別情報により権限を確認するので、正当な所持者の利便性の低下を最小限にしつつ、第三者によるカードの偽造や遺失カードによるサービスの不正利用を防ぐことが可能である。
【００１４】
【発明の実施の形態】
（実施形態１）
以下に権限者を識別する為の第１の識別情報である固有番号１と、権限者を識別する為の第１の識別情報を識別する為の第２の識別情報である固有番号２を組み合わせて記録媒体の所持者の身分を確認する実施形態１の権限証明システムについて説明する。
【００１５】
図１は本実施形態の媒体発行処理の概要を示す図である。図１に示す様に媒体発行機１０１は、新規に媒体１０２を発行する。
媒体発行機１０１から新規に媒体１０２を発行するとき、正当な所持者を示す固有番号１をデータベース１０３にまず登録し、次に数生成処理部により媒体１０２上の固有番号１の位置を示す固有番号２を生成する。そして、媒体１０２上の領域１１２にその固有番号２を登録し、固有番号２が示す媒体１０２上の領域１１１に固有番号１を登録する。
媒体１０２上には、領域１１１及び領域１１２以外にも、類似デザインのバーコード或いは同一形状のＩＣチップという形で領域１１３等が他に１つ以上存在しており、外観からはどの領域に固有番号１或いは固有番号２が登録されているかを判別することが困難な状態になっている。この領域１１３等は空欄にされる場合もあれば、数生成処理部を用いて番号を生成させてダミー番号を登録する場合もある。
【００１６】
図２は本実施形態の媒体発行機１０１の構成を示す図である。図２に示す様に本実施形態の媒体発行機１０１は、ＣＰＵ２０１と、メモリ２０２と、磁気ディスク装置２０３と、入力装置２０４と、出力装置２０５と、ＣＤ−ＲＯＭ装置２０６と、位置決め装置２０７と、書込装置２０８とを有している。
【００１７】
ＣＰＵ２０１は、媒体発行機１０１全体の動作を制御する装置である。メモリ２０２は、媒体発行機１０１全体の動作を制御する際にその為の各種処理プログラムやデータをロードする記憶装置である。磁気ディスク装置２０３は、前記各種処理プログラムやデータを格納しておく記憶装置である。
【００１８】
入力装置２０４は、権限者のパスワードの入力や生体情報の読取り等の各種入力を行う装置である。出力装置２０５は、媒体１０２の発行に伴う各種出力を行う装置である。ＣＤ−ＲＯＭ装置２０６は、前記各種処理プログラムを記録したＣＤ−ＲＯＭの内容を読み出す装置である。
【００１９】
位置決め装置２０７は、固有番号２で示される位置に書込装置２０８を位置決めする装置である。書込装置２０８は、媒体１０２の発行に伴って媒体１０２へ各種固有番号を記録する装置である。
【００２０】
また媒体発行機１０１は、数生成処理部２１０と、識別情報書込処理部２１１とを有している。
数生成処理部２１０は、権限者を識別する為の情報である固有番号１の記録位置を示す固有番号２を生成する処理部である。識別情報書込処理部２１１は、前記生成した固有番号２で示される位置に固有番号１を書き込み、固有番号２を所定の位置に書き込む処理部である。
【００２１】
媒体発行機１０１を数生成処理部２１０及び識別情報書込処理部２１１として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。
【００２２】
図３は本実施形態の媒体１０２の所持者が正当な権限を有するかどうかの判別をするプロセスの概要を示す図である。図３に示す様に、媒体読取機３０１は媒体１０２から固有番号１を得て、データベース１０３と照合することにより、媒体１０２の所持者の権限の有無を判別する。
【００２３】
図４は本実施形態の媒体読取機３０１の構成を示す図である。図４に示す様に本実施形態の媒体読取機３０１は、ＣＰＵ４０１と、メモリ４０２と、磁気ディスク装置４０３と、入力装置４０４と、出力装置４０５と、ＣＤ−ＲＯＭ装置４０６と、位置決め装置４０７と、読取装置４０８とを有している。
【００２４】
ＣＰＵ４０１は、媒体読取機３０１全体の動作を制御する装置である。メモリ４０２は、媒体読取機３０１全体の動作を制御する際にその為の各種処理プログラムやデータをロードする記憶装置である。磁気ディスク装置４０３は、前記各種処理プログラムやデータを格納しておく記憶装置である。
【００２５】
入力装置４０４は、媒体１０２の所持者からのパスワードの入力や所持者の生体情報の読取り等の各種入力を行う装置である。出力装置４０５は、媒体１０２の読取に伴う各種表示を行う装置である。ＣＤ−ＲＯＭ装置４０６は、前記各種処理プログラムを記録したＣＤ−ＲＯＭの内容を読み出す装置である。
【００２６】
位置決め装置４０７は、固有番号２で示される位置に読取装置４０８を位置決めする装置である。読取装置４０８は、媒体１０２の読取に伴って媒体１０２から各種固有番号を読取る装置である。
【００２７】
また媒体読取機３０１は、識別情報読取処理部４１０と、権限確認処理部４１１とを有している。
識別情報読取処理部４１０は、媒体１０２上の固有番号１の記録位置を示す固有番号２を読み取り、前記読み取った固有番号２で示される位置に記録された固有番号１を読み取る処理部である。権限確認処理部４１１は、前記読み取った固有番号１と正当な権限者を示す情報とを照合して媒体１０２の所持者の権限を確認する処理部である。
【００２８】
媒体読取機３０１を識別情報読取処理部４１０及び権限確認処理部４１１として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。
【００２９】
図５は本実施形態の媒体読取動作の概要を示す図である。読取装置４０８は媒体１０２上の領域１１２を最初に読み込み、固有番号２を得る様に設定されている。そして位置決め装置４０７は、得られた固有番号２に基づいて媒体１０２上の領域１１１へ読取装置４０８を移動させ、そこから固有番号１を得る様にしている。或いは、媒体読取機３０１が２つ以上の読取装置４０８及び読取装置４０８’を備え、読取装置４０８が領域１１２から固有番号２を得て、読取装置４０８’が固有番号２に基づき位置決め装置４０７により媒体１０２上の領域１１１に移動させられ、そこから固有番号１を得ても良い。
媒体読取機３０１は、媒体１０２から読取られた固有番号１とデータベース１０３の情報とを照合することにより、媒体１０２の所持者の権限の有無を判別する。
【００３０】
図６は本実施形態の媒体発行処理の処理手順を示すフローチャートである。図６では媒体発行機１０１によってデータベース１０３内にあるＩＤ番号を媒体１０２に書き込む手順を表している。
【００３１】
ステップ４０１で媒体発行機１０１は、データベース１０３内にある利用可能なＩＤ番号の中から、媒体１０２に登録するものを特定する。そして、特定されたＩＤ番号を固有番号１とする。
【００３２】
ステップ４０２で媒体発行機１０１の数生成処理部２１０は、権限者を識別する為の情報である固有番号１の記録位置を示す固有番号２を生成する。固有番号２の生成方法は乱数によるか否かを問わない。
【００３３】
ステップ４０３で媒体発行機１０１の識別情報書込処理部２１１は、位置決め装置２０７を駆動して媒体１０２上の前記生成した固有番号２で示される位置である領域１１１に書込装置２０８を位置決めし、領域１１１に固有番号１を書き込む。
【００３４】
ステップ４０４で識別情報書込処理部２１１は、位置決め装置２０７を駆動して書込装置２０８を媒体１０２上の所定の領域１１２に位置決めし、領域１１２に固有番号２を書き込む。この領域１１２は、ステップ５０１において固有情報１の格納されている領域１１１を示す位置情報として最初に読取られることになっている。そして読取られた固有情報２は、ステップ５０２において位置決め装置４０７を駆動させる際に用いられる。
【００３５】
ステップ４０５及びステップ４０６は、必須ではないが、ダミー番号を割り当てることで本システムのセキュリティ水準を向上させる為に存在する。ステップ４０５で数生成処理部２１０は、領域１１３等の個数だけダミー番号を生成し、ステップ４０６で識別情報書込処理部２１１は、媒体１０２上の領域１１３等にダミー番号を書き込んで処理を終了する。
【００３６】
図７は本実施形態の媒体所持者の権限の有無を判別する処理の処理手順を示すフローチャートである。図７では、媒体読取機３０１によって媒体１０２にあるＩＤ番号を読取り、データベース１０３の情報と照合する手順を表している。
【００３７】
ステップ５０１で媒体読取機３０１の識別情報読取処理部４１０は、読取装置４０８によって媒体１０２上の領域１１２にある固有番号２を読取る。読取装置４０８の位置を定める位置決め装置４０７は、初期値として領域１１２に位置付ける様に設定されている。従って読取装置４０８は、特に移動することなく領域１１２からその中にある固有番号２を読取る。
【００３８】
ステップ５０２で識別情報読取処理部４１０は、位置決め装置４０７を駆動して媒体１０２上の前記読取った固有番号２で示される位置である領域１１１に読取装置４０８を位置決めし、ステップ５０３で領域１１１から固有番号１を読取る。媒体読取機３０１によっては、読取装置４０８’をもう一つ装備し、領域１１１の読取り専用に使用しても良い。
【００３９】
ステップ５０４で権限確認処理部４１１は、前記読み取った固有番号１と正当な権限者を示すデータベース１０３中の情報とを照合し、固有番号１が事前に登録したＩＤ番号であるかの真偽判定を行う。そしてステップ５０５では、真偽判定の結果を表示し、次のプロセスに引き継いで処理を終了する。
【００４０】
前記の様に本実施形態によれば、ＩＤ番号を格納している場所の位置情報を読取るというプロセスを行っている為に、利用者の利便性の低下を最小限としつつ、セキュリティの水準を向上させることができる。
【００４１】
また本実施形態では書込装置２０８及び読取装置４０８を機械的に位置決めして媒体１０２の読み書きを行っているが、媒体１０２上のＩＣチップを非接触で読み書きするものとしても良い。
【００４２】
以上説明した様に本実施形態の権限証明システムによれば、第２の識別情報で識別される第１の識別情報により権限を確認するので、正当な所持者の利便性の低下を最小限にしつつ、第三者によるカードの偽造や遺失カードによるサービスの不正利用を防ぐことが可能である。
【００４３】
（実施形態２）
以下に権限者を識別する為の第１の識別情報である固有番号１と、権限者を識別する為の第１の識別情報を識別する為の第２の識別情報である固有番号２と、権限者に固有な第３の識別情報である固有情報３（記憶しているパスワード、指紋や網膜等の個人に固有な生体情報）とを組み合わせて記録媒体の所持者の身分を確認する実施形態２の権限証明システムについて説明する。
【００４４】
図８は本実施形態の媒体発行処理の概要を示す図である。図８に示す様に媒体発行機１０１は、新規に媒体１０２を発行する。
媒体発行機１０１から新規に媒体１０２を発行するとき、正当な所持者を示す固有番号１をデータベース１０３にまず登録し、次に数生成処理部２１０により媒体１０２上の固有番号１の位置を示す固有番号２を生成する。そして媒体１０２上の領域１１２にその固有番号２を登録し、固有番号２が示す媒体１０２上の領域１１１に固有番号１を登録する。
媒体１０２上には、領域１１１及び領域１１２と同種の形式で番号を登録できる領域１１３等が他に１つ以上存在しており、外観からはどの領域に固有番号１或いは固有番号２が登録されているかを判別することが困難な状態になっている。この領域１１３等は空欄にされる場合もあれば、数生成処理部２１０を用いて番号を生成させてダミー番号を登録する場合もある。更にデータベース１０３には、パスワード、指紋や網膜等の固有情報３を登録する。
【００４５】
図９は本実施形態の媒体１０２の所持者が正当な権限を有するかどうかの判別をするプロセスの概要を示す図である。図９に示す様に、媒体読取機３０１は媒体１０２から固有番号１、及び所持者から固有情報３を得て、データベース１０３と照合することにより、媒体１０２の所持者の権限の有無を判別する。
【００４６】
図１０は本実施形態の媒体読取動作の概要を示す図である。読取装置４０８は媒体１０２上の領域１１２を最初に読み込み、固有番号２を得る様に設定されている。そして位置決め装置４０７は、得られた固有番号２に基づいて媒体１０２上の領域１１１へ読取装置４０８を移動させ、そこから固有番号１を得る様にしている。或いは、媒体読取機３０１が２つ以上の読取装置４０８及び読取装置４０８’を備え、読取装置４０８が領域１１２から固有番号２を得て、読取装置４０８’が固有番号２に基づき位置決め装置４０７により媒体１０２上の領域１１１に移動させられ、そこから固有番号１を得ても良い。
媒体読取機３０１は、媒体１０２から読取られた固有番号１及び入力装置４０４を通じて得られた固有情報３とデータベース１０３の情報とを照合することにより、媒体１０２の所持者の権限の有無を判別する。
【００４７】
図１１は本実施形態の媒体発行の処理手順を示すフローチャートである。図１１では媒体発行機１０１によってデータベース１０３内にあるＩＤ番号を媒体１０２に書き込む手順を表している。
【００４８】
ステップ６０１で媒体発行機１０１は、データベース１０３内にある利用可能なＩＤ番号の中から、媒体１０２に登録するものを特定する。そして、特定されたＩＤ番号を固有番号１とする。
【００４９】
ステップ６０２では、媒体発行機１０１の数生成処理部２１０は、権限者を識別する為の情報である固有番号１の記録位置を示す固有番号２を生成する。固有番号２の生成方法は乱数によるか否かを問わない。
【００５０】
ステップ６０３では、媒体発行機１０１の識別情報書込処理部２１１は、位置決め装置２０７を駆動して媒体１０２上の前記生成した固有番号２で示される位置である領域１１１に書込装置２０８を位置決めし、領域１１１に固有番号１を書き込む。
【００５１】
ステップ６０４で識別情報書込処理部２１１は、位置決め装置２０７を駆動して書込装置２０８を媒体１０２上の所定の領域１１２に位置決めし、領域１１２に固有番号２を書き込む。この領域１１２は、ステップ７０１において固有情報１の格納されている領域１１１を示す位置情報として最初に読取られることになっている。そして読取られた固有情報２は、ステップ７０２において位置決め装置４０７を駆動させる際に用いられる。
【００５２】
ステップ６０５及びステップ６０６は、必須ではないが、ダミー番号を割り当てることで本システムのセキュリティ水準を向上させる為に存在する。ステップ６０５で数生成処理部２１０は、領域１１３等の個数だけダミー番号を生成し、ステップ６０６で識別情報書込処理部２１１は、媒体１０２上の領域１１３等にダミー番号を書き込む。
【００５３】
ステップ６０７では、入力装置２０４を介して権限者のパスワード、指紋や網膜等の個人に固有な生体情報を入力し、データベース１０３に固有情報３として登録して処理を終了する。
【００５４】
図１２は本実施形態の媒体所持者の権限の有無を判別する処理の処理手順を示すフローチャートである。図１２では、媒体読取機３０１によって媒体１０２にあるＩＤ番号を読取り、データベース１０３の情報と照合する手順を表している。
【００５５】
ステップ７０１で媒体読取機３０１の識別情報読取処理部４１０は、読取装置４０８によって媒体１０２上の領域１１２にある固有番号２を読取る。読取装置４０８の位置を定める位置決め装置４０７は、初期値として領域１１２に位置付ける様に設定されている。従って読取装置４０８は、特に移動することなく領域１１２からその中にある固有番号２を読取る。
【００５６】
ステップ７０２で識別情報読取処理部４１０は、位置決め装置４０７を駆動して媒体１０２上の前記読取った固有番号２で示される位置である領域１１１に読取装置４０８を位置決めし、ステップ７０３で領域１１１から固有番号１を読取る。媒体読取機３０１によっては、読取装置４０８’をもう一つ装備し、領域１１１の読取り専用に使用しても良い。
【００５７】
ステップ７０４で権限確認処理部４１１は、前記読み取った固有番号１と正当な権限者を示すデータベース１０３中の情報とを照合し、固有番号１が事前に登録したＩＤ番号であるかの真偽判定を行う。
【００５８】
ステップ７０５で権限確認処理部４１１は、入力装置４０４を通じて媒体１０２の所持者のパスワードや生体情報を得て、データベース１０３内にある事前に登録した固有情報３と合致するかを照合する。そしてステップ７０６では、真偽判定の結果を表示し、次のプロセスに引き継いで、処理を終了する。
【００５９】
前記の様に本実施形態によれば、ＩＤ番号を格納している場所の位置情報を読取るというプロセスを行っている為に、利用者の利便性の低下を最小限に留めることができ、かつ、パスワードや生体情報とを組み合わせることにより、更にセキュリティの水準を向上させることができる。
【００６０】
また本実施形態では書込装置２０８及び読取装置４０８を機械的に位置決めして媒体１０２の読み書きを行っているが、媒体１０２上のＩＣチップを非接触で読み書きするものとしても良い。
【００６１】
以上説明した様に本実施形態の権限証明システムによれば、第２の識別情報で識別される第１の識別情報により権限を確認するので、正当な所持者の利便性の低下を最小限にしつつ、第三者によるカードの偽造や遺失カードによるサービスの不正利用を防ぐことが可能である。
【００６２】
【発明の効果】
本発明によれば第２の識別情報で識別される第１の識別情報により権限を確認するので、正当な所持者の利便性の低下を最小限にしつつ、第三者によるカードの偽造や遺失カードによるサービスの不正利用を防ぐことが可能である。
【図面の簡単な説明】
【図１】実施形態１の媒体発行処理の概要を示す図である。
【図２】実施形態１の媒体発行機１０１の構成を示す図である。
【図３】実施形態１の媒体１０２の所持者が正当な権限を有するかどうかの判別をするプロセスの概要を示す図である。
【図４】実施形態１の媒体読取機３０１の構成を示す図である。
【図５】実施形態１の媒体読取動作の概要を示す図である。
【図６】実施形態１の媒体発行処理の処理手順を示すフローチャートである。
【図７】実施形態１の媒体所持者の権限の有無を判別する処理の処理手順を示すフローチャートである。
【図８】実施形態２の媒体発行処理の概要を示す図である。
【図９】実施形態２の媒体１０２の所持者が正当な権限を有するかどうかの判別をするプロセスの概要を示す図である。
【図１０】実施形態２の媒体読取動作の概要を示す図である。
【図１１】実施形態２の媒体発行の処理手順を示すフローチャートである。
【図１２】実施形態２の媒体所持者の権限の有無を判別する処理の処理手順を示すフローチャートである。
【符号の説明】
１０１…媒体発行機、１０２…媒体、１０３…データベース、１１１〜１１３…領域、２０１…ＣＰＵ、２０２…メモリ、２０３…磁気ディスク装置、２０４…入力装置、２０５…出力装置、２０６…ＣＤ−ＲＯＭ装置、２０７…位置決め装置、２０８…書込装置、２１０…数生成処理部、２１１…識別情報書込処理部、３０１…媒体読取機、４０１…ＣＰＵ、４０２…メモリ、４０３…磁気ディスク装置、４０４…入力装置、４０５…出力装置、４０６…ＣＤ−ＲＯＭ装置、４０７…位置決め装置、４０８…読取装置、４１０…識別情報読取処理部、４１１…権限確認処理部。
【図１】
0004523110.tif 000002
【図２】
0004523110.tif 000003
【図３】
0004523110.tif 000004
【図４】
0004523110.tif 000005
【図５】
0004523110.tif 000006
【図６】
0004523110.tif 000007
【図７】
0004523110.tif 000008
【図８】
0004523110.tif 000009
【図９】
0004523110.tif 000010
【図１０】
0004523110.tif 000011
【図１１】
0004523110.tif 000012
【図１２】
0004523110.tif 000013